(57)【特許請求の範囲】
【請求項１】
互いに交差する方向に案内されて移動し、上下に異なる位置に配置されていて、上下方向の拘束をそれぞれ受けている第１の移動体及び第２の移動体と、
前記第１の移動体の移動方向及び前記第２の移動体の移動方向に定盤上で案内されて移動可能な第３の移動体とを有する移動案内装置において、
前記第１、第２及び第３の移動体を内部に収納する真空容器を設け、
前記第１及び第２の移動体を互いに交差する方向に駆動するそれぞれのアクチュエータを前記真空容器の外に設置し、
前記第３の移動体は、前記第１及び第２の移動体の移動方向に垂直な案内面を介して前記アクチュエータの駆動力を受けて、互いに交差する２方向に駆動され、
前記第１及び第２の移動体のそれぞれの一方の端部側を前記移動方向に案内し、前記移動方向を除く方向に拘束するラジアル静圧軸受と、それぞれのもう一方の端部側を前記移動方向に案内する上下拘束の静圧軸受と、を有することを特徴とする移動案内装置。
【請求項２】
前記第３の移動体は、静圧軸受により定盤面上に浮上されるとともに、前記第１及び第２の移動体の側面をガイドにして移動することを特徴とする請求項１に記載の移動案内装置。
【請求項３】
前記アクチュエータはリニアタイプの超音波モータであることを特徴とする請求項１または２に記載の移動案内装置。
【請求項４】
前記アクチュエータからの力を前記第１及び第２の移動体に伝達する剛体を備え、前記真空容器はラビリンスを介して排気され、非接触にて大気に対しシールされることを特徴とする請求項１〜３のいずれかに記載の移動案内装置。
【請求項５】
第１方向に案内されて移動し、該第１方向に直交する第２方向を長手方向とする第１の移動体と、該第１の移動体とは上下に異なる位置に配置され、第２方向に案内されて移動し、第１方向を長手方向とする第２の移動体と、前記第１および第２の移動体をそれぞれの移動方向に駆動するアクチュエータと、前記第１の移動体とともに第１方向に移動するとともに該移動を第２の移動体の側面によって案内され、前記第２の移動体とともに第２方向に移動するとともに該移動を第１の移動体の側面によって案内される第３の移動体と、
前記第１、第２および第３の移動体を内部に収納し、前記アクチュエータが外部に配置される真空容器と、
前記第１および第２の移動体のそれぞれの長手方向の一方の端部側を前記移動方向に案内するとともに前記移動方向を除く方向に拘束するラジアル静圧軸受と、前記第１および第２の移動体のそれぞれの長手方向の他端の一方の端部側を前記移動方向に案内するとともに上下方向に拘束する静圧軸受と、
を備えることを特徴とする移動案内装置。
【請求項６】
請求項１〜５のいずれかに記載の移動案内装置を用いたことを特徴とする露光装置。
【請求項７】
請求項６に記載の露光装置を含む各種プロセス用の製造装置群を半導体製造工場に設置する工程と、該製造装置群を用いて複数のプロセスによって半導体デバイスを製造する工程とを有することを特徴とする半導体デバイス製造方法。
【発明の詳細な説明】
【０００１】
【発明の属する技術分野】
本発明は、電子線描画装置、精密計測器等の如く、非大気雰囲気中で高速移動、精密位置決めを繰り返す、あるいは高精度にスキャン移動する移動体を案内する移動案内装置及び該装置を用いた露光装置等に関するものである。
【０００２】
【従来の技術】
従来の移動案内装置は、特公昭５７−４１８１４号公報や特開昭５７−６１４３６号公報等に開示されているように、ステージがＸ，Ｙ平面内を移動するために、１軸はモータ（＋ネジ等の伝達機構）を直結し、もう１軸はモータを固定し、カップリングを介して力を伝達している。このような従来例では、２軸とも駆動伝達軸（ネジ等）及びモータが固定されており（移動しない）真空容器の外から力を伝達するには適している。しかしながら、このような構成では、次のような欠点があった。
【０００３】
（１）カップリングの剛性が駆動系に直列に加わっており、剛性の劣化を招く。
（２）また、ステージの位置によりカップリング剛性が変化するため制御特性が変化し、十分な精度、移動速度が得られない。
（３）ステージが移動すると、Ｙステージに偏荷重が発生して、Ｙステージが変形する。従って、Ｘステージの静的な姿勢精度（ピッチング）が劣化する。
（４）ステージが移動することにより系の平面内の重心位置が変化するため、ステージ駆動することにより、ピッチング、ヨーイング等の振動を励起し、動的な姿勢精度も劣化する。
【０００４】
また、上記従来例の欠点をカバーするため、特開昭６０−２３９４１号公報等に開示のステージ構成が提案されている。しかし、このステージ構成でも、上記の（３）及び（４）の項目の改善にはなっていないのみならず、駆動用リニアモータのコイルの推力に寄与する部分が少ないので、該リニアモータの効率が悪く、発熱等の影響が大きい等の欠点があった。
【０００５】
本発明は上記欠点をカバーするために案出されたものであり、本発明の第１の目的は、ＸＹ平面内を移動する高精度な移動体の案内及び駆動が可能な移動案内装置、及び移動案内方法を提供することである。本発明の第２の目的は、上記移動体を収納する真空容器のシール構造を改良することである。本発明の第３の目的は、上記移動案内装置、または移動案内方法を用いて製造された半導体、液晶パネルを提供することである。
【０００６】
そして、本発明は、電子線描画装置や、精密計測器等の如く、非大気雰囲気中で、高速移動、精密位置決めを繰り返す、あるいは高精度にスキャン移動する移動体を移動案内する移動案内装置等を提供することを主目的とする。
【０００７】
【課題を解決するための手段及び作用】
上記目的を達成するために、本発明の移動案内装置は、互いに交差する方向に案内されて移動し、上下に異なる位置に配置されていて、上下方向の拘束をそれぞれ受けている第１の移動体及び第２の移動体と、前記第１の移動体の移動方向及び前記第２の移動体の移動方向に定盤上で案内されて移動可能な第３の移動体とを有する移動案内装置において、前記第１、第２及び第３の移動体を内部に収納する真空容器を設け、前記第１及び第２の移動体を互いに交差する方向に駆動するそれぞれのアクチュエータを前記真空容器の外に設置し、前記第３の移動体は、前記第１及び第２の移動体の移動方向に垂直な案内面を介して前記アクチュエータの駆動力を受けて、互いに交差する２方向に駆動され、
前記第１及び第２の移動体のそれぞれの一方の端部側を前記移動方向に案内し、前記移動方向を除く方向に拘束するラジアル静圧軸受と、それぞれのもう一方の端部側を前記移動方向に案内する上下拘束の静圧軸受と、を有することを特徴とする。
【００１１】
本発明は、例えば、第１の移動体の案内は定盤或いは移動体の一方に固定された１本のラジアル静圧軸受及び定盤或いは移動体のもう一方に固定された上下拘束の静圧軸受により行い、第２の移動体の案内は定盤或いは移動体の一方に固定された１本のラジアル静圧軸受及び定盤或いは移動体のもう一方に固定された上下拘束の静圧軸受により行う。また、第３の移動体の垂直方向の案内を定盤面で行い、横方向の案内をそれぞれ第１及び第２の移動体の側面で行う。第１〜第３の移動体については真空容器の中に収納され、第１の移動体の駆動は真空容器の外に固定された少なくとも１本のリニアモータで行い、第２の移動体の駆動について真空容器の外に固定された少なくとも１本のリニアモータで行う。また、第３の移動体の垂直方向の案内を定盤面で行い、横方向の案内をそれぞれ第１及び第２の移動体の側面で行う。また、第３の移動体の駆動は、第１及び第２の移動体の横方向の案内を介して伝達する。これにより、本発明の作用は次のとおりである。
【００１２】
（１）第１及び第２の移動体とも直接駆動されているのでステージの位置による剛性（特性）変化を抑制することが可能になる。
（２）第３の移動体の上下方向の案内は定盤面であり、第１及び第２の移動体が移動しても偏荷重が発生せず、ピッチング、ローリングを高精度に保つことが可能になる。
（３）第１及び第２の移動体の位置により２本のアクチュエータの駆動トルクを適正に分配することによりヨーイング方向の振動を減少させ、動的な姿勢精度も向上する。
（４）また、ピッチング、ローリングについても軸受の隙間を介してしか伝わらないので微少であり、この面からも動的な姿勢精度が向上する。
（５）第３の移動体を平面移動させるアクチュエータが不要になる。
（６）第１及び第２の移動体の横方向の案内は定盤上の１本の固定ガイドの側面であるので、温度変化が発生しても軸受の隙間は変化せず、運搬、使用中に温度変化が発生しても破損のおそれが解消する。
【００１３】
また、本発明は、第１〜第３の移動体の案内は、例えば特開昭６３−１９２８６４号（特許第２５８７２２７号）公報等に記載されているラビリンスシール構造付の静圧軸受で行い、第１及び第２の移動体の駆動はリニアモータで行うことにより、次のような作用がある。
【００１４】
（１）摩擦が存在しないのでヒス等がなく、高精度な位置決めが可能になる。
（２）接触部からの発熱がないので熱変形等が発生せず、この面からも高精度な位置決めが可能になる。
（３）また、発塵もなくゴミ回収等の機構が不要で構成が容易になり、かつコストダウンが可能になる。
（４）グリスアップ等のメンテナンスが不要になる。
【００１５】
本発明は、真空容器外に設置されたリニアモータから移動体への力の伝達を充分剛性が大きい伝達棒で行い、伝達棒と真空容器との間のシールをラビリンスからの排気により行うことにより、次のような作用がある。
【００１６】
（１）真空度に影響することなく真空容器外からの駆動が可能になる。
（２）リニアモータによるダイレクトドライブとほぼ同様の制御性能を得ることが可能になる。
（３）シール部が非接触であり、発塵が無い。
（４）摩擦抵抗が存在しないので高精度な位置決めが可能になる。
【００１７】
また、駆動部を真空容器外に設置することにより、
（５）真空容器のサイズの小型化が可能になる。
（６）リニアモータの磁気の影響を少なくできるので、電子線描画装置等の磁気を嫌う装置に適する。
【００２２】
【発明の実施の形態】
（第１の実施形態）
図１〜図４は本発明の第１の実施形態に係わる移動案内装置の例を示す概略図である。図１は斜視図、図２は図１の本体定盤を取り除いて示した移動案内装置の裏面図、図３は図１のＡ−Ａ断面図、図４は図１のＢ−Ｂ断面図であり、本実施形態のＢ−Ｂ断面図では予圧機構を使用しない例である。なお、真空容器は、図２にのみ示し、他の図においては、図形の錯綜を避けるため省略してある。
【００２３】
図１〜図４において、１は定盤であり、１１はステージ定盤、１２は本体定盤である。２１はＸ方向固定ガイド、２２はＹ方向固定ガイド、第３の移動体である３はＸＹ移動体であってＸ方向及びＹ方向に平面移動可能である。第１の移動体である４１はＸ方向移動体であってＸＹ移動体３をＸ方向に移動させることが可能であり、第２の移動体である４２はＹ方向移動体であってＸＹ移動体３をＹ方向に移動させることが可能であり、アクチュエータとしての５１１，５１２はＸ方向駆動用リニアモータ、５２１，５２２はＹ方向駆動用リニアモータである。
【００２４】
６１１はＸ方向移動体４１の一方の端部側である４１１をＸ方向へ案内をするとともにＸ方向以外の全方向に対し拘束する静圧軸受（ラジアル軸受）、６１２はＸ方向移動体４１を横方向へ案内するとともに上下方向に対し拘束する静圧軸受（上下方向の軸受）、６２１はＹ方向移動体４２のもう一方の端部側である４１２をＹ方向へ案内をするとともにＹ方向以外の全方向に対し拘束する静圧軸受（ラジアル軸受）、６２２はＹ方向移動体４２を横方向へ案内するとともに上下方向に対し拘束する静圧軸受（上下方向の軸受）、６３１はＸＹ移動体３と定盤１１間の垂直方向拘束の静圧軸受、６３２はＸＹ移動体３とＸ方向移動体４１間の横方向（Ｘ方向）の動きを拘束しながらＸＹ移動体３をＹ方向へ案内する静圧軸受、６４１はＸＹ移動体３とＹ方向移動体４２間の横方向（Ｙ方向）の動きを拘束しながらＸＹ移動体３をＸ方向へ案内する静圧軸受であり、これらはいずれも空気を使用した静圧軸受である。
【００２５】
８は真空容器である。９１１はリニアモータ５１１の駆動力伝達棒であり、９１２はリニアモータ５１２の駆動力伝達棒であって、これらはＸ方向伝達用剛体としてＸ方向移動体４１に駆動力を伝達する。９２１，９２２はリニアモータ５２１，５２２の駆動力伝達棒であって、これらはＹ方向伝達用剛体としてＹ方向移動体４２に駆動力を伝達する。
【００２６】
上記構成において、Ｘ方向移動体４１は、静圧軸受６１１に給気することにより、一方側部分４１１がＸ方向固定ガイド２１から浮上し、静圧軸受６１２に給気することにより、もう一方側部分４１２がステージ定盤１１上のＸ方向ガイド２１１に対し浮上する。Ｙ方向移動体４２は、静圧軸受６２１に給気することにより一方側部分４２１がＹ方向固定ガイド２２より浮上し、静圧軸受６２２に給気することによりもう一方側部分４２２がステージ定盤１１上のＹ方向ガイド２２１に対し浮上する。
【００２７】
また、ＸＹ移動体３は、静圧軸受６３１に給気することによりステージ定盤１１より浮上し、静圧軸受６３２に給気することによりＸ方向移動体４１より、また静圧軸受６４１に給気することによりＹ方向移動体４２より浮上する。
【００２８】
以上の機構は、図２に示す真空容器８の内部に収納される。真空容器８は、本体定盤１２上に設置されており、ステージ定盤１１、Ｘ方向ガイド２１，２１１、Ｙ方向ガイド２２，２２１、ＸＹ移動体３、Ｘ方向移動体４１、Ｙ方向移動体４２、静圧軸受６１１，６１２，６２１，６２２，６３１，６３２，６４１等の全体を内部に収納し、駆動力伝達棒９１１，９１２，９２１，９２２の部分が出入り可能である。
【００２９】
そして、真空容器８は、図５に示すように、前記アクチュエータからの力を前記第１及び第２の移動体に伝達する剛体である駆動力伝達棒９１１，９１２，９２１，９２２が出入りする内部と外部との境界部分に、ラビリンスシール構造８０を備えている。ラビリンスシール構造８０は、駆動力伝達棒９１１，９１２，９２１，９２２が通っている真空容器８の開口部に同心的に筒体８１を突設し、この筒体８１の内周に該駆動力伝達棒を取り巻く環状の溝を設けて凹凸を付け、駆動力伝達棒が出入りする部分を迷路状にしたものである。真空容器８内の気体は、筒体８１の周壁に開けられた複数の小孔８２を通って排出される。即ち、前記真空容器(中の気体)はラビリンス(迷路)を介して排気され、非接触にて大気に対しシールされる。
【００３０】
また、この移動案内装置は、本体定盤１２上に固定されたリニアモータ５１１，５１２を駆動することにより伝達棒９１１，９１２を介してＸ方向移動体４１がＸ方向に移動し、静圧軸受６３２を介してＸＹ移動体３をＸ方向に移動させる。また、リニアモータ５２１，５２２を駆動することにより伝達棒９２１，９２２を介してＹ方向移動体４２がＹ方向に移動し、静圧軸受６４１を介してＸＹ移動体３をＹ方向に移動させる。伝達棒９１１，９１２，９２１，９２２は真空容器８との境界でラビリンスシール構造８０により真空シールされる。
【００３１】
本実施形態に係わる移動案内装置は次のような効果を奏する。
（１）ＸＹ移動体の位置が変化しても定盤には偏荷重が発生しないので、静的な姿勢精度を高精度に保つことができる。
（２）Ｘ方向移動体、及びＹ方向移動体とも定盤面上の２本のリニアモータで駆動しているのでＸＹ移動体の位置により適当に駆動力を調整することによりＸＹ移動体のヨーイング振動の発生を抑制することができる。
（３）すべて非接触のためゴミ、熱の発生がなく高精度、かつメンテナンスが容易である。
（４）振動の伝達について、静圧軸受の隙間を介しての微小量のみしか伝わらないので動的な姿勢精度を良好に保つことができる。
（５）第１及び第２の移動体の横方向の案内は定盤上の１本の固定ガイドの側面であるので、温度変化が発生しても軸受の隙間は変化せず、運搬等で破損のおそれがない。
（６）リニアモータは真空容器の外から真空シール（不図示）を介して駆動するので真空への影響は少ない。
（７）ステージの位置が変化してもカップリング等が存在せず、動的な特性がほとんど変化しないので、制御の面からも有利である。
【００３２】
（第２の実施形態）
本発明の第２の実施形態は第１の実施形態において説明した移動案内装置を用いた露光装置である。該露光装置は、原版としてのレチクル及び基板としてのウエハをそれぞれ載せて移動させるレチクルステージ及びウエハステージとして、本発明に係わる移動案内装置を用いるものである。本実施形態に係わる露光装置を用いて、高い歩留で、優れた品質の半導体、液晶パネルなどのデバイスを製造することができる。
【００３３】
（半導体生産システムの実施形態）
次に、本発明に係る装置を用いた半導体デバイス（ＩＣやＬＳＩ等の半導体チップ、液晶パネル、ＣＣＤ、薄膜磁気ヘッド、マイクロマシン等）の生産システムの例を説明する。これは半導体製造工場に設置された製造装置のトラブル対応や定期メンテナンス、あるいはソフトウェア提供などの保守サービスを、製造工場外のコンピュータネットワークを利用して行うものである。
【００３４】
図６は全体システムをある角度から切り出して表現したものである。図中、１１０１は半導体デバイスの製造装置を提供するベンダ（装置供給メーカ）の事業所である。製造装置の実例としては、半導体製造工場で使用する各種プロセス用の半導体製造装置、例えば、前工程用機器（露光装置、レジスト処理装置、エッチング装置等のリソグラフィ装置、熱処理装置、成膜装置、平坦化装置等）や後工程用機器（組立て装置、検査装置等）を想定している。事業所１１０１内には、製造装置の保守データベースを提供するホスト管理システム１１０８、複数の操作端末コンピュータ１１１０、これらを結んでイントラネット等を構築するローカルエリアネットワーク（ＬＡＮ）１１０９を備える。ホスト管理システム１１０８は、ＬＡＮ１１０９を事業所の外部ネットワークであるインターネット１１０５に接続するためのゲートウェイと、外部からのアクセスを制限するセキュリティ機能を備える。
【００３５】
一方、１１０２〜１１０４は、製造装置のユーザとしての半導体製造メーカの製造工場である。製造工場１１０２〜１１０４は、互いに異なるメーカに属する工場であっても良いし、同一のメーカに属する工場（例えば、前工程用の工場、後工程用の工場等）であっても良い。各工場１１０２〜１１０４内には、夫々、複数の製造装置１１０６と、それらを結んでイントラネット等を構築するローカルエリアネットワーク（ＬＡＮ）１１１１と、各製造装置１１０６の稼動状況を監視する監視装置としてホスト管理システム１１０７とが設けられている。各工場１１０２〜１１０４に設けられたホスト管理システム１１０７は、各工場内のＬＡＮ１１１１を工場の外部ネットワークであるインターネット１１０５に接続するためのゲートウェイを備える。これにより各工場のＬＡＮ１１１１からインターネット１１０５を介してベンダ１１０１側のホスト管理システム１１０８にアクセスが可能となり、ホスト管理システム１１０８のセキュリティ機能によって限られたユーザだけにアクセスが許可となっている。具体的には、インターネット１１０５を介して、各製造装置１１０６の稼動状況を示すステータス情報（例えば、トラブルが発生した製造装置の症状）を工場側からベンダ側に通知する他、その通知に対応する応答情報（例えば、トラブルに対する対処方法を指示する情報、対処用のソフトウェアやデータ）や、最新のソフトウェア、ヘルプ情報などの保守情報をベンダ側から受け取ることができる。各工場１１０２〜１１０４とベンダ１１０１との間のデータ通信および各工場内のＬＡＮ１１１１でのデータ通信には、インターネットで一般的に使用されている通信プロトコル（ＴＣＰ／ＩＰ）が使用される。なお、工場外の外部ネットワークとしてインターネットを利用する代わりに、第三者からのアクセスができずにセキュリティの高い専用線ネットワーク（ＩＳＤＮなど）を利用することもできる。また、ホスト管理システムはベンダが提供するものに限らずユーザがデータベースを構築して外部ネットワーク上に置き、ユーザの複数の工場から該データベースへのアクセスを許可するようにしてもよい。
【００３６】
さて、図７は本実施形態の全体システムを図６とは別の角度から切り出して表現した概念図である。先の例ではそれぞれが製造装置を備えた複数のユーザ工場と、該製造装置のベンダの管理システムとを外部ネットワークで接続して、該外部ネットワークを介して各工場の生産管理や少なくとも１台の製造装置の情報をデータ通信するものであった。これに対し本例は、複数のベンダの製造装置を備えた工場と、該複数の製造装置のそれぞれのベンダの管理システムとを工場外の外部ネットワークで接続して、各製造装置の保守情報をデータ通信するものである。図中、１２０１は製造装置ユーザ（半導体デバイス製造メーカ）の製造工場であり、工場の製造ラインには各種プロセスを行う製造装置、ここでは例として露光装置１２０２、レジスト処理装置１２０３、成膜処理装置１２０４が導入されている。なお図７では製造工場１２０１は１つだけ描いているが、実際は複数の工場が同様にネットワーク化されている。工場内の各装置はＬＡＮ１２０６で接続されてイントラネットを構成し、ホスト管理システム１２０５で製造ラインの稼動管理がされている。
【００３７】
一方、露光装置メーカ１２１０、レジスト処理装置メーカ１２２０、成膜装置メーカ１２３０などベンダ（装置供給メーカ）の各事業所には、それぞれ供給した機器の遠隔保守を行うためのホスト管理システム１２１１，１２２１，１２３１を備え、これらは上述したように保守データベースと外部ネットワークのゲートウェイを備える。ユーザの製造工場内の各装置を管理するホスト管理システム１２０５と、各装置のベンダの管理システム１２１１，１２２１，１２３１とは、外部ネットワーク１２００であるインターネットもしくは専用線ネットワークによって接続されている。このシステムにおいて、製造ラインの一連の製造機器の中のどれかにトラブルが起きると、製造ラインの稼動が休止してしまうが、トラブルが起きた機器のベンダからインターネット１２００を介した遠隔保守を受けることで迅速な対応が可能であり、製造ラインの休止を最小限に抑えることができる。
【００３８】
半導体製造工場に設置された各製造装置はそれぞれ、ディスプレイと、ネットワークインタフェースと、記憶装置にストアされたネットワークアクセス用ソフトウェアならびに装置動作用のソフトウェアを実行するコンピュータを備える。記憶装置としては内蔵メモリやハードディスク、あるいはネットワークファイルサーバーなどである。上記ネットワークアクセス用ソフトウェアは、専用又は汎用のウェブブラウザを含み、例えば図８に一例を示す様な画面のユーザインタフェースをディスプレイ上に提供する。各工場で製造装置を管理するオペレータは、画面を参照しながら、製造装置の機種１４０１、シリアルナンバー１４０２、トラブルの件名１４０３、発生日１４０４、緊急度１４０５、症状１４０６、対処法１４０７、経過１４０８等の情報を画面上の入力項目に入力する。入力された情報はインターネットを介して保守データベースに送信され、その結果の適切な保守情報が保守データベースから返信されディスプレイ上に提示される。またウェブブラウザが提供するユーザインタフェースはさらに図示のごとくハイパーリンク機能１４１０〜１４１２を実現し、オペレータは各項目の更に詳細な情報にアクセスしたり、ベンダが提供するソフトウェアライブラリから製造装置に使用する最新バージョンのソフトウェアを引出したり、工場のオペレータの参考に供する操作ガイド（ヘルプ情報）を引出したりすることができる。ここで、保守データベースが提供する保守情報には、上記説明した本発明に関する情報も含まれ、また前記ソフトウェアライブラリは本発明を実現するための最新のソフトウェアも提供する。
【００３９】
次に上記説明した生産システムを利用した半導体デバイスの製造プロセスを説明する。図９は半導体デバイスの全体的な製造プロセスのフローを示す。ステップ１（回路設計）では半導体デバイスの回路設計を行う。ステップ２（マスク製作）では設計した回路パターンを形成したマスクを製作する。一方、ステップ３（ウエハ製造）ではシリコン等の材料を用いてウエハを製造する。ステップ４（ウエハプロセス）は前工程と呼ばれ、上記用意したマスクとウエハを用いて、リソグラフィ技術によってウエハ上に実際の回路を形成する。次のステップ５（組み立て）は後工程と呼ばれ、ステップ４によって作製されたウエハを用いて半導体チップ化する工程であり、アッセンブリ工程（ダイシング、ボンディング）、パッケージング工程（チップ封入）等の組立て工程を含む。ステップ６（検査）ではステップ５で作製された半導体デバイスの動作確認テスト、耐久性テスト等の検査を行う。こうした工程を経て半導体デバイスが完成し、これを出荷（ステップ７）する。前工程と後工程はそれぞれ専用の別の工場で行い、これらの工場毎に上記説明した遠隔保守システムによって保守がなされる。また前工程工場と後工程工場との間でも、インターネットまたは専用線ネットワークを介して生産管理や装置保守のための情報がデータ通信される。
【００４０】
図１０は上記ウエハプロセスの詳細なフローを示す。ステップ１１（酸化）ではウエハの表面を酸化させる。ステップ１２（ＣＶＤ）ではウエハ表面に絶縁膜を成膜する。ステップ１３（電極形成）ではウエハ上に電極を蒸着によって形成する。ステップ１４（イオン打込み）ではウエハにイオンを打ち込む。ステップ１５（レジスト処理）ではウエハに感光剤を塗布する。ステップ１６（露光）では上記説明した露光装置によってマスクの回路パターンをウエハに焼付露光する。ステップ１７（現像）では露光したウエハを現像する。ステップ１８（エッチング）では現像したレジスト像以外の部分を削り取る。ステップ１９（レジスト剥離）ではエッチングが済んで不要となったレジストを取り除く。これらのステップを繰り返し行うことによって、ウエハ上に多重に回路パターンを形成する。各工程で使用する製造機器は上記説明した遠隔保守システムによって保守がなされているので、トラブルを未然に防ぐと共に、もしトラブルが発生しても迅速な復旧が可能であり、従来に比べて半導体デバイスの生産性を向上させることができる。
【００４１】
【発明の効果】
以上説明したように、本発明によれば、
第１の移動体の横方向の案内は定盤上に固定されたガイドにより行い、第１の移動体の垂直方向の案内は定盤で行い、第２の移動体の横方向の案内は定盤上に固定されたガイドにより行い、第２の移動体の垂直方向の案内は定盤面で行う。また、第３の移動体の垂直方向の案内を定盤面で行い、横方向の案内をそれぞれ第１及び第２の移動体の側面で行う。第１〜第３の移動体については真空容器の中に収納され、第１の移動体の駆動は真空容器の外に固定されたアクチュエータで行い、第２の移動体の駆動について真空容器の外に固定されたアクチュエータで行う。また、第３の移動体の垂直方向の案内を定盤面で行い、横方向の案内をそれぞれ第１及び第２の移動体の側面で行う。また、第３の移動体の駆動は、第１及び第２の移動体の横方向の案内を介して伝達する。
【００４２】
また、第１の移動体の一方向の案内は定盤上に固定された上下、左右全て拘束したガイドにより行い、もう一方は、上下拘束のみを行う固定ガイドにより行い、第２の移動体の横方向の案内は定盤上に固定されたガイドにより行い、第２の移動体一方向の案内は定盤上に固定された上下、左右全て拘束したガイドにより行い、もう一方は、上下拘束のみを行う固定ガイドにより行う。また、第３の移動体の上下方向の案内を定盤面で行い、横方向の案内をそれぞれ第１及び第２の移動体の側面で行う。これらのことにより、本発明は、以下のような効果を奏する。
【００４３】
（１）Ｘステージ、Ｙステージを積み重ねていないので高さを低くすることができる。また、Ｘ、Ｙステージをオーバーハングさせることにより専有面積は従来とほぼ同一にできる。
（２）カップリング等の機構を使用していないので、第３の移動体の位置が変化しても動的な特性は変化せず、高い制御性を有する。
（３）第３の移動体が移動しても偏荷重が発生せず静的な姿勢精度を高精度に保つことができる。
（４）振動については、静圧軸受の隙間を介してのみしか伝わらないので、伝わる量は微小であり動的にも姿勢精度を高精度に保つことができる。
（５）第１及び第２の移動体は定盤上の２本のリニアモータにより駆動することでヨーイング振動を制振でき、動的な姿勢精度も高精度に保つことができる。
（６）摩擦が存在しないのでヒス等がなく高精度な位置決めが可能である。
（７）接触部からの発熱がないので熱変形等が発生せず、この面からも高精度な位置決めが可能である。
（８）また、発塵もなくゴミ回収等の機構が不要で構成が容易、かつコストダウンになる。
（９）グリスアップ等のメンテナンスが不要である。
（10）第１及び第２の移動体の横方向の案内は定盤上の固定ガイドの側面であるので、温度変化が発生しても軸受の隙間は変化せず、周波数特性の変化がない。また、運搬等で破損のおそれがない。
（11）真空容器外から駆動しているので真空容器の小型化が可能である。
（12）真空シール部も非接触であり、この面からも高精度な位置決めが可能である。
【図面の簡単な説明】
【図１】  本発明の第１の実施形態に係わる移動案内装置の概略構成を示す斜視図である。
【図２】  図１の定盤を除外して示した移動案内装置の裏面図である。
【図３】  図１のＡ−Ａ断面図である。
【図４】  図１のＢ−Ｂ断面図である。
【図５】  図２に示した真空容器の真空シール機構の詳細断面図である。
【図６】  本発明に係る装置を用いた半導体デバイスの生産システムをある角度から見た概念図である。
【図７】  本発明に係る装置を用いた半導体デバイスの生産システムを別の角度から見た概念図である。
【図８】  ユーザインタフェースの具体例である。
【図９】  デバイスの製造プロセスのフローを説明する図である。
【図１０】  ウエハプロセスを説明する図である。
【符号の説明】
１：定盤、１１：ステージ定盤、１２：本体定盤、２１，２１１：Ｘ方向固定ガイド、２２，２２１：Ｙ方向固定ガイド、３：ＸＹ移動体、４１：Ｘ方向移動体、４２：Ｙ方向移動体、５１１，５１２：Ｘ方向駆動用リニアモータ、５２１，５２２：Ｙ方向駆動用リニアモータ、６１１：Ｘ方向移動体のＸ方向以外全拘束静圧軸受、６１２：Ｘ方向移動体の垂直方向拘束静圧軸受、６２１：Ｙ方向移動体のＹ方向以外全拘束静圧軸受、６２２：Ｙ方向移動体の垂直方向拘束静圧軸受、６３１：ＸＹ移動体と定盤間の垂直方向拘束静圧軸受、６３２：ＸＹ移動体とＸ方向移動体の横方向拘束静圧軸受、６４１：ＸＹ移動体とＹ方向移動体の横方向拘束静圧軸受、８：真空容器、９１１，９１２：Ｘ方向移動体４１の駆動用駆動力伝達棒、９２１，９２２：Ｙ方向移動体４２の駆動用駆動力伝達棒、
１１０１：ベンダの事業所、１１０２，１１０３，１１０４：製造工場、１１０５：インターネット、１１０６：製造装置、１１０７：工場のホスト管理システム、１１０８：ベンダ側のホスト管理システム、１１０９：ベンダ側のローカルエリアネットワーク（ＬＡＮ）、１１１０：操作端末コンピュータ、１１１１：工場のローカルエリアネットワーク（ＬＡＮ）、１２００：外部ネットワーク、１２０１：製造装置ユーザの製造工場、１２０２：露光装置、１２０３：レジスト処理装置、１２０４：成膜処理装置、１２０５：工場のホスト管理システム、１２０６：工場のローカルエリアネットワーク（ＬＡＮ）、１２１０：露光装置メーカ、１２１１：露光装置メーカの事業所のホスト管理システム、１２２０：レジスト処理装置メーカ、１２２１：レジスト処理装置メーカの事業所のホスト管理システム、１２３０：成膜装置メーカ、１２３１：成膜装置メーカの事業所のホスト管理システム、１４０１：製造装置の機種、１４０２：シリアルナンバー、１４０３：トラブルの件名、１４０４：発生日、１４０５：緊急度、１４０６：症状、１４０７：対処法、１４０８：経過、１４１０，１４１１，１４１２：ハイパーリンク機能。
【図１】
0004612777.tif 000002
【図２】
0004612777.tif 000003
【図３】
0004612777.tif 000004
【図４】
0004612777.tif 000005
【図５】
0004612777.tif 000006
【図６】
0004612777.tif 000007
【図７】
0004612777.tif 000008
【図８】
0004612777.tif 000009
【図９】
0004612777.tif 000010
【図１０】
0004612777.tif 000011